(57)【要約】【課題】２つのワイヤハーネスを良好な作業性で容易且つコンパクトに結束固定することができる、新規な構造のハーネス用固定具を提供すること。【解決手段】クリップ部１２が突設された基部１４と、基部１４から延出して２つのワイヤハーネス１６へ巻き付ける結束バンド１８を備えてなるハーネス用固定具１０において、基部１４には、結束バンド１８の挿入方向が同じである第１バンド挿通孔２４と第２バンド挿通孔２６が、基部１４の高さ方向の下方と上方に離隔して且つ平面視で重なり合うように設けられており、結束バンド１８を第１バンド挿通孔２４に挿通係止して構成した第１環状部４０によって一方のワイヤハーネス１６ａが結束される一方、第１バンド挿通孔２４を通過して突出した結束バンド１８を第１環状部４０の周囲を囲んで第２バンド挿通孔２６に挿通係止して構成した第２環状部４４によって他方のワイヤハーネス１６ｂが結束されるようにした。【選択図】図２
2016101011.tif 000002
【特許請求の範囲】
【請求項１】
クリップ部が突設された基部と、該基部から延出して２つのワイヤハーネスへ巻き付ける帯状の結束バンドを備えてなるハーネス用固定具において、
前記基部には、前記結束バンドの挿入方向が同じである第１バンド挿通孔と第２バンド挿通孔が、前記基部の高さ方向の下方と上方に離隔して且つ平面視で重なり合うように設けられており、
前記結束バンドを前記第１バンド挿通孔に挿通係止して構成した第１環状部によって一方の前記ワイヤハーネスが結束される一方、
前記第１バンド挿通孔を通過して突出した前記結束バンドを前記第１環状部の周囲を囲んで前記第２バンド挿通孔に挿通係止して構成した第２環状部によって他方の前記ワイヤハーネスが結束されるようになっている
ことを特徴とするハーネス用固定具。
【請求項２】
前記結束バンドには、前記第１バンド挿通孔と前記第２バンド挿通孔の内部にそれぞれ配設された係止突起に係合する複数の係合部が設けられている一方、前記第１環状部の内周面と前記第２環状部の内周面には前記係合部が設けられていない請求項１に記載のハーネス用固定具。
【請求項３】
他方の前記ワイヤハーネスが、前記第１環状部の外周面と前記第２環状部の前記内周面の間で挟持されており、他方の前記ワイヤハーネスに当接する前記第１環状部の外周面にも前記係合部が設けられていない請求項２に記載のハーネス用固定具。
【発明の詳細な説明】
【技術分野】
【０００１】
本発明は、ワイヤハーネスを車体等の支持体に固定するために用いられる、ハーネス用固定具に関するものである。
【背景技術】
【０００２】
従来から、自動車等において、配索されたワイヤハーネスを車体パネル等の支持体に固定するために、ハーネス用固定具が利用されている。このハーネス用固定具は、例えば特開平８−２７５３４６号公報（特許文献１）に記載されているように、ワイヤハーネスに巻き付ける結束バンドの一方の端部に基部が一体形成されている一方、その基部には、車体パネル等に設けた取付穴に嵌め入れられて係止固定されるクリップ部が突設されている。また、結束バンドの一方の面には鋸歯状等の係合部が形成されている一方、基部には巻付バンドが挿通されるバンド挿通孔が形成されていると共に、バンド挿通孔の内部には係合部が係止される係止突起が配設されている。そして、結束バンドを、他方の端部からバンド挿通孔に挿通させて結束バンドの係止部に係止突起を係止させることにより、巻付バンドのバンド挿通孔からの抜出しが阻止されて、ワイヤハーネスを弛緩不能に締め付けることができる。これにより、ワイヤハーネスの所定位置にハーネス用固定具を固定的に設けることができるのである。
【０００３】
ところで、近年の車載電装品の増加により、車両に配索されるワイヤハーネスの数は増加しており、１箇所に複数のワイヤハーネスを固定したい場合も増えている。そこで、特開２００８−２１５４８８号公報（特許文献２）には、長尺の結束バンドと２つのバンド挿通孔を備え、２つのワイヤハーネスを結束固定することができるハーネス用固定具が提案されている。
【０００４】
ところが、特許文献２に記載のハーネス用固定具では、２つのバンド挿通孔をオフセットして配設して、２つのワイヤハーネスを並列に配置して結束するようになっていることから、バンド挿通孔が設けられた基部やハーネス固定具自体の大型化が避けられなかった。また、一方のワイヤハーネスを結束した後に他方のワイヤハーネスを結束する際の作業スペースが狭く一方のワイヤハーネスが邪魔になって作業性が悪いという問題も内在していた。
【０００５】
加えて、２つのバンド挿通孔がオフセットして配設されていることにより、一方のワイヤハーネスを結束した後、他方のワイヤハーネスを結束する結束バンドにねじれが生じ、ねじれた結束バンドの側面がエッジとなって他方のワイヤハーネスに局所的な圧迫を加えたり破損させたりするおそれもあった。
【先行技術文献】
【特許文献】
【０００６】
【特許文献１】特開平８−２７５３４６号公報
【特許文献２】特開２００８−２１５４８８号公報
【発明の概要】
【発明が解決しようとする課題】
【０００７】
本発明は、上述の事情を背景に為されたものであって、その解決課題は、２つのワイヤハーネスを良好な作業性で容易且つコンパクトに結束固定することができる、新規な構造のハーネス用固定具を提供することにある。
【課題を解決するための手段】
【０００８】
本発明の第一の態様は、クリップ部が突設された基部と、該基部から延出して２つのワイヤハーネスへ巻き付ける帯状の結束バンドを備えてなるハーネス用固定具において、前記基部には、前記結束バンドの挿入方向が同じである第１バンド挿通孔と第２バンド挿通孔が、前記基部の高さ方向の下方と上方に離隔して且つ平面視で重なり合うように設けられており、前記結束バンドを前記第１バンド挿通孔に挿通係止して構成した第１環状部によって一方の前記ワイヤハーネスが結束される一方、前記第１バンド挿通孔を通過して突出した前記結束バンドを前記第１環状部の周囲を囲んで前記第２バンド挿通孔に挿通係止して構成した第２環状部によって他方の前記ワイヤハーネスが結束されるようになっていることを特徴とする。
【０００９】
本態様によれば、第１バンド挿通孔と第２バンド挿通孔が、基部の高さ方向上下に離隔して平面視で重なり合うように設けられていることから、２つのバンド挿通孔を備えた基部をコンパクトに設けることができる。
【００１０】
しかも、第１バンド挿通孔と第２バンド挿通孔の結束バンドの挿入方向が同じであり且つ基部の上下に配列されていることから、２つのワイヤハーネスを結束バンドで結束する際の結束バンドの巻回方向や作業位置が同じとなり、結束作業が容易となる。また、結束バンドをねじる必要が無いことから、ねじれた結束バンドの側面がエッジとなってワイヤハーネスを傷つけることも防止できる。
【００１１】
さらに、一方のワイヤハーネスを結束した第１環状部の周囲を囲んで巻回する第２環状部によって他方のワイヤハーネスを結束できることから、他方のワイヤハーネスを結束する際に一方のワイヤハーネスが邪魔になって作業がし難いという問題も無くすことができる。
【００１２】
本発明の第二の態様は、前記第一の態様に記載のものにおいて、前記結束バンドには、前記第１バンド挿通孔と前記第２バンド挿通孔の内部にそれぞれ配設された係止突起に係合する複数の係合部が設けられている一方、前記第１環状部の内周面と前記第２環状部の内周面には前記係合部が設けられていないものである。
【００１３】
本態様によれば、各バンド挿通孔内に配設された係止突起に係合する係合部が、結束されるワイヤハーネスに密接される第１／第２環状部の内周面には設けられていないことから、係合部によるワイヤハーネスの局部的な圧迫や破損等を未然に防止できる。
【００１４】
本発明の第三の態様は、前記第二の態様に記載のものにおいて、他方の前記ワイヤハーネスが、前記第１環状部の外周面と前記第２環状部の前記内周面の間で挟持されており、他方の前記ワイヤハーネスに当接する前記第１環状部の外周面にも前記係合部が設けられていないものである。
【００１５】
本態様によれば、他方のワイヤハーネスに当接する第１環状部の外周面にも係合部が設けられていないことから、第１環状部の外周面と第２環状部の内周面の間で挟持される他方のワイヤハーネスの破損等を有利に防止することができる。
【発明の効果】
【００１６】
本発明によれば、第１／第２バンド挿通孔が、基部の上下方向に離隔して平面視で重なり合うように設けられていることから、２つのバンド挿通孔を備えた基部をコンパクトに設けられる。しかも、第１／第２バンド挿通孔への結束バンドの挿入方向が同じ且つ基部の上下に配列されていることから、結束作業が容易となる。また、従来のように結束バンドをねじる必要が無いことから、ねじれた結束バンドの側面によりワイヤハーネスを傷つけることも防止できる。さらに、第１環状部の周囲を囲んで巻回する第２環状部によって他方のワイヤハーネスを結束できることから、従来のように他方のワイヤハーネスを結束する際に一方のワイヤハーネスが邪魔になるという問題も無くすことができる。
【図面の簡単な説明】
【００１７】
【図１】本発明の一実施形態としてのハーネス用固定具を示す正面図。
【図２】ワイヤハーネスに対して、図１に示すハーネス用固定具を締め付けて固定する様子を説明するための正面図。
【発明を実施するための形態】
【００１８】
以下、本発明の実施形態について、図面を参照しつつ説明する。
【００１９】
図１〜２に、本発明の一実施形態としてのハーネス用固定具１０を示す。図１に示されているように、ハーネス用固定具１０は、クリップ部１２が突設された基部１４と、基部１４から延出して２つのワイヤハーネス１６（図２参照）へ巻き付ける帯状の結束バンド１８を備えて構成されている。ハーネス用固定具１０は合成樹脂材料で一体成形されており、結束バンド１８が湾曲変形可能となっている。なお、理解を容易とするため、ワイヤハーネス１６は仮想線で記載されている。また、以下の説明において、上方とは、図２中の上方、下方とは、図２中の下方を言うものとする。
【００２０】
結束バンド１８の一方の面２０（本実施形態ではクリップ部１２側の面）の延出方向先端部側（図１中、右側）には、鋸歯状の係合部２２が結束バンド１８の長手方向に所定ピッチで多数並んで形成されている。
【００２１】
一方、ハーネス用固定具１０の基部１４には、図１に示されているように、結束バンド１８の延出方向に貫通し且つ結束バンド１８が挿通係止される第１バンド挿通孔２４および第２バンド挿通孔２６が、基部１４の高さ方向の下方と上方に離隔して且つ平面視で重なり合うように設けられている。より詳細には、第１バンド挿通孔２４および第２バンド挿通孔２６の内部にはそれぞれ略三角断面形状で下方に向かって突出する係止突起２８が配設されており、結束バンド１８に設けられた係合部２２と係合することにより結束バンド１８を任意の位置に挿通係止できるようになっている。
【００２２】
また、基部１４の上面３０には、ワイヤハーネス１６（図２参照）を図示しない車体パネルや車載機器等に固定するためのクリップ部１２が突設されている。クリップ部１２は、基端部に設けられた円盤状の皿部３２と先端部に設けられた係止頭３４を備えて構成されている。係止頭３４は、正面視においてπ型形状の係止柱３６と、係止柱３６の上端部に設けられ矢印状に折り返して突設された一対の係止羽３８，３８を備えている。ここで、皿部３２は、図示しない車体パネルへの当接用とされている一方、一対の係止羽３８，３８は、車体パネルの取付穴に挿入して抜け止めを行うためのものである。
【００２３】
次に、図２に示されているように、上述の如き構造とされたハーネス用固定具１０を、ワイヤハーネス１６へ巻き付けて固定する。より詳細には、先ず結束バンド１８を一方のワイヤハーネス１６ａに巻き付けて第１バンド挿通孔２４に挿通係止することにより、ワイヤハーネス１６に対してハーネス用固定具１０が結束固定される。すなわち、結束バンド１８を第１バンド挿通孔２４に挿通係止して構成した第１環状部４０によって一方のワイヤハーネス１６ａが結束されるのである。結束バンド１８の一方の面２０の先端部側のみに係合部２２が設けられていることから、第１環状部４０の内周面４２には、係合部２２が設けられていないのである。それ故、係合部２２により一方のワイヤハーネス１６ａが局部的な圧迫や破損等を受けることを未然に防止できるようになっているのである。
【００２４】
続いて、図２に示されているように、他方のワイヤハーネス１６ｂを、一方のワイヤハーネス１６ａが結束された第１環状部４０の下に配設する。そして、第１バンド挿通孔２４から突出した結束バンド１８を他方のワイヤハーネス１６ｂに巻き付けて第２バンド挿通孔２６に挿通係止することにより、他方のワイヤハーネス１６ｂに対してハーネス用固定具１０が結束固定される。すなわち、第１バンド挿通孔２４を通過して突出した結束バンド１８を第１環状部４０の周囲を囲んで第２バンド挿通孔２６に挿通係止して構成した第２環状部４４によって、他方のワイヤハーネス１６ｂが結束されるようになっているのである。これにより、他方のワイヤハーネス１６ｂが、第１環状部４０の外周面４６と第２環状部４４の内周面４８の間で挟持されている。なお、結束バンド１８の一方の面２０の先端部側のみに係合部２２が設けられていることから、他方のワイヤハーネス１６ｂを挟持する第１環状部４０の外周面４６と第２環状部４４の内周面４８には、係合部２２が設けられていないのである。それ故、係合部２２により他方のワイヤハーネス１６ｂが破損等を受けることを未然に防止できるようになっているのである。
【００２５】
このような構造とされたハーネス用固定具１０によれば、第１バンド挿通孔２４と第２バンド挿通孔２６が基部１４の上下に重なり合うように設けられていることから、２つのバンド挿通孔２４，２６を備えた基部１４をコンパクトに形成できる。しかも、両バンド挿通孔２４，２６における結束バンド１８の挿入方向が同じであることから、２つのワイヤハーネス１６を結束する際の結束バンド１８の巻回方向や作業位置が同じとなり、結束作業が容易とできる。また、従来のように結束バンド１８をねじる必要が無いことから、ねじれた結束バンド１８の側面によってワイヤハーネス１６を傷つけることも防止できるのである。
【００２６】
加えて、一方のワイヤハーネス１６ａを結束した第１環状部４０の周囲を囲むように設けた第２環状部４４によって他方のワイヤハーネス１６ｂを結束できることから、従来のように他方のワイヤハーネス１６ｂを結束する際に一方のワイヤハーネス１６ａが邪魔になって作業がし難いという問題も無くすことができるのである。
【００２７】
以上、本発明の実施形態について説明してきたが、かかる実施形態における具体的な記載によって、本発明は、何等限定されるものでない。例えば、本実施形態では、他方のワイヤハーネス１６ｂは、一方のワイヤハーネス１６ａが結束された第１環状部４０の下に配設されていたが、第１環状部４０の側方（図２中、左右方向）に配設されていてもよい。すなわち、他方のワイヤハーネス１６ｂは、第１環状部４０の外周面４６と第２環状部４４の内周面４８によって挟持し得る任意の位置に配設可能である。また、クリップ部１２は、公知の任意のクリップ部が採用可能である。また、結束バンド１８の一方の面２０に設けられる係合部２２の形状は例示のものに限らず、係止突起２８が係合し得るものであれば凹溝状等の公知の任意の形状が採用可能である。
【符号の説明】
【００２８】
１０：ハーネス用固定具、１２：クリップ部、１４：基部、１６：ワイヤハーネス、１６ａ：一方のワイヤハーネス、１６ｂ：他方のワイヤハーネス、１８：結束バンド、２２：係合部、２４：第１バンド挿通孔、２６：第２バンド挿通孔、２８：係止突起、４０：第１環状部、４２：内周面（第１環状部）、４４：第２環状部、４６：外周面（第１環状部）、４８：内周面（第２環状部）
【図１】
2016101011.tif 000003
【図２】
2016101011.tif 000004